(57)【特許請求の範囲】
【請求項１】
携帯端末から送信される当該携帯端末の現在位置を測位した測位点と当該測位点の測位時刻とを対応付けて所定のデータベースに格納する格納手段と、
前記所定のデータベースに格納されている前記測位点と前記測位時刻を、地図を分割して得られる複数のメッシュ領域のうちの前記測位点が属するメッシュ領域に対応付けた基礎データを生成する基礎データ生成手段と、
前記基礎データに基づいて、各メッシュ領域における所定期間内の前記測位点の測位回数及び前記携帯端末のユーザの滞在時間の少なくとも一方を算出し、当該各メッシュ領域と当該算出した測位回数及び滞在時間の少なくとも一方とを対応付けたメッシュデータを生成するメッシュデータ生成手段と、
前記メッシュデータに含まれる測位回数及び滞在時間の少なくとも一方が所定の閾値以上であるメッシュ領域を、前記ユーザの日常圏として設定する日常圏設定手段と、
を備え、
前記メッシュデータ生成手段は、
第１測位点と時間軸上当該第１測位点の次に配置される第２測位点について、当該第１測位点の第１測位時刻から当該第２測位点の第２測位時刻までの測位点間時間と前記第２測位点と前記第１測位点との間の測位点間距離とを算出し、当該測位点間時間と当該測位点間距離に基づいて決定される配分条件に従って、当該測位点間時間を前記第１測位点と前記第２測位点を結んだ結線上のメッシュ領域に滞在時間として配分する配分手段を備え、
前記配分された配分時間に基づいて、前記メッシュ領域における前記滞在時間を算出することを特徴とする日常圏設定システム。
【請求項２】
前記配分手段は、
前記測位点間時間が所定時間未満であること及び前記測位点間距離が所定距離未満であることの少なくとも一方が成立する場合は、前記測位点間時間より前記第１測位点から前記第２測位点への移動時間を減算して得られる移動時間減算済み時間を前記第１測位点が属する第１メッシュ領域に配分し、前記移動時間を前記結線上のメッシュ領域に略均等に配分する
ことを特徴とする請求項１に記載の日常圏設定システム。
【請求項３】
前記配分手段は、
前記測位点間時間が所定の時間未満であること及び前記測位点間距離が所定の距離未満でないことの少なくとも一方が成立する場合は、前記測位点間時間より前記第１測位点から第２測位点への移動時間を減算して得られる移動時間減算済み時間を前記第１測位点が属する第１メッシュ領域に配分し、前記移動時間を前記結線上のメッシュ領域に配分しない
ことを特徴とする請求項１に記載の日常圏設定システム。
【請求項４】
前記配分手段は、
前記第１測位点の第１測位時刻と前記第２測位点の第２測位時刻とが所定基準時刻にまたがる場合は、当該第１測位時刻から前記所定基準時刻までの時間を最大として第１メッシュ領域に配分し、当該第２測位時刻から前記所定基準時刻までの時間を最大として第２メッシュ領域に配分する
ことを特徴とする請求項１から３のいずれか１項に記載の日常圏設定システム。
【請求項５】
前記メッシュデータ生成手段は、
前記各メッシュ領域において前記測位点が測位された測位日数をさらに集計し、
前記日常圏設定手段は、
前記メッシュデータの前記測位回数、前記滞在時間及び前記測位日数のうちの少なくとも１つ又は２つ以上の組み合わせが所定の閾値以上であるメッシュ領域を、前記ユーザの日常圏として設定する
ことを特徴とする請求項１から４のいずれか１項に記載の日常圏設定システム。
【請求項６】
前記基礎データ生成手段は、
高度情報が設定された三次元のメッシュ領域に対応付けた基礎データを生成する、請求項１から５のいずれか１項に記載の日常圏設定システム。
【請求項７】
前記日常圏設定手段は、
前記日常圏を設定する際に、各メッシュ領域における高度情報を設定する、請求項１から５のいずれか１項に記載の日常圏設定システム。
【請求項８】
前記メッシュデータ生成手段は、
特定の移動手段での移動時に測定された測位点と測位時刻に基づいて、移動手段別メッシュデータを生成し、
前記日常圏設定手段は、前記移動手段別メッシュデータを用いて、移動手段別の日常圏を設定する、請求項１から７のいずれか１項に記載の日常圏設定システム。
【請求項９】
前記メッシュデータ生成手段は、
特定の時間帯に測定された測位点と測位時刻に基づいて、時間帯別メッシュデータを生成し、
前記日常圏設定手段は、前記時間帯別メッシュデータを用いて、時間帯別の日常圏を設定する、請求項１から８のいずれか１項に記載の日常圏設定システム。
【請求項１０】
前記メッシュデータ生成手段は、
平日または休日に測定された測位点と測位時刻に基づいて、平日及び休日の少なくとも一方のみの測位情報に基づくメッシュデータを生成し、
前記日常圏設定手段は、前記平日及び休日の少なくとも一方のみの測位情報に基づくメッシュデータを用いて、平日または休日の日常圏を設定する、請求項１から９のいずれか１項に記載の日常圏設定システム。
【請求項１１】
携帯端末とネットワークを介して通信可能に接続されたシステムにおける日常圏設定方法であって、
前記携帯端末から送信される当該携帯端末の現在位置を測位した測位点と当該測位点の測位時刻とを対応付けて所定のデータベースに格納する格納ステップと、
前記所定のデータベースに格納されている前記測位点と前記測位時刻を、地図を分割して得られる複数のメッシュ領域のうちの前記測位点が属するメッシュ領域に対応付けた基礎データを生成する基礎データ生成ステップと、
前記基礎データに基づいて、各メッシュ領域における所定期間内の前記測位点の測位回数及び前記携帯端末のユーザの滞在時間の少なくとも一方を算出し、当該各メッシュ領域と当該算出した測位回数及び滞在時間の少なくとも一方とを対応付けたメッシュデータを生成するメッシュデータ生成ステップと、
前記メッシュデータに含まれる測位回数及び滞在時間の少なくとも一方が所定の閾値以上であるメッシュ領域を、前記ユーザの日常圏として設定する日常圏設定ステップと、
備え、
前記メッシュデータ生成ステップは、
第１測位点と時間軸上当該第１測位点の次に配置される第２測位点について、当該第１測位点の第１測位時刻から当該第２測位点の第２測位時刻までの測位点間時間と前記第２測位点と前記第１測位点との間の測位点間距離とを算出し、当該測位点間時間と当該測位点間距離に基づいて決定される配分条件に従って、当該測位点間時間を前記第１測位点と前記第２測位点を結んだ結線上のメッシュ領域に滞在時間として配分する配分ステップを備え、
前記配分された配分時間に基づいて、前記メッシュ領域における前記滞在時間を算出することを特徴とする日常圏設定方法。
【請求項１２】
携帯端末とネットワークを介して通信可能に接続されたコンピュータに、
前記携帯端末から送信される当該携帯端末の現在位置を測位した測位点と当該測位点の測位時刻とを対応付けて所定のデータベースに格納する格納ステップと、
前記所定のデータベースに格納されている前記測位点と前記測位時刻を、地図を分割して得られる複数のメッシュ領域のうちの前記測位点が属するメッシュ領域に対応付けた基礎データを生成する基礎データ生成ステップと、
前記基礎データに基づいて、各メッシュ領域における所定期間内の前記測位点の測位回数及び前記携帯端末のユーザの滞在時間の少なくとも一方を算出し、当該各メッシュ領域と当該算出した測位回数及び滞在時間の少なくとも一方とを対応付けたメッシュデータを生成するメッシュデータ生成ステップと、
前記メッシュデータに含まれる測位回数及び滞在時間の少なくとも一方が所定の閾値以上であるメッシュ領域を、前記ユーザの日常圏として設定する日常圏設定ステップと、を実行させ、
前記メッシュデータ生成ステップは、
第１測位点と時間軸上当該第１測位点の次に配置される第２測位点について、当該第１測位点の第１測位時刻から当該第２測位点の第２測位時刻までの測位点間時間と前記第２測位点と前記第１測位点との間の測位点間距離とを算出し、当該測位点間時間と当該測位点間距離に基づいて決定される配分条件に従って、当該測位点間時間を前記第１測位点と前記第２測位点を結んだ結線上のメッシュ領域に滞在時間として配分する配分ステップを備え、
前記配分された配分時間に基づいて、前記メッシュ領域における前記滞在時間を算出することを特徴とする、プログラム。
【発明の詳細な説明】
【技術分野】
【０００１】
本発明は、ＧＰＳ（Global Positioning System ：全地球測位システム）等を利用する情報処理技術に関し、特に、ＧＰＳを利用して測位した移動端末の測位情報を処理する技術に関する。
【背景技術】
【０００２】
ＧＰＳを利用した様々なサービスが提供されている。かかるサービスの一例として、下記特許文献１には、電子メールに関する情報と経路上の送信地点とを設定する手段と、車両の現在の自車位置を算出する手段と、算出された自車位置が前記設定された送信地点に到達したか否かを監視する手段と、自車位置が送信地点に到達した場合に、前記設定された電子メールを送信する送信手段とを有するナビゲーション装置が開示されている。
【先行技術文献】
【特許文献】
【０００３】
【特許文献１】特開２０００−２８５３８２号公報
【発明の概要】
【発明が解決しようとする課題】
【０００４】
ところで、携帯端末、インターネット、ナビゲーションシステム等の急激な普及に伴い、様々なシーンでＧＰＳの利用用途が拡大している。その結果、ＧＰＳ機能を搭載した携帯端末の利用者間では、ＧＰＳを利用したサービスの利便性向上に対するニーズが益々高まっている。携帯端末のＧＰＳ機能を利用したサービスの一例として、携帯端末の現在位置を定期的に測位し、当該測位した現在位置が、ユーザが予め設定した目的地に近づいた場合に、その旨をユーザに通知したり当該目的地に関連する情報を提供したりするサービスが知られている。しかしながら、かかるサービスや上記特許文献１に記載のナビゲーション装置の構成では、ユーザが予め目的地や送信地点を設定しなければならないため、設定作業が煩雑になりやすく、また、設定していない施設や場所については関連情報が得られないという問題があった。
【０００５】
そこで、ユーザが設定していない所定の施設や場所等についても、ユーザの現在位置に基づいて関連情報を自動的に送信することが考えられる。しかし、この場合には、所定地近辺にいる全てのユーザに対して関連情報を送信することとなるところ、当該所定地とユーザの関係によっては、当該関連情報が有用な場合もあれば不用な場合もある。例えば、当該所定地が観光地である場合に、当該観光地を訪れたユーザに対して観光情報を送信することはユーザの利便性を高める一方、当該観光地に住んでいるユーザに対して観光情報を送信することはユーザの利便性を逆に損なってしまう。また、例えば、ある場所をいつも訪れているユーザとたまたま訪れたユーザとでは、当該場所について必要とする情報の内容は異なる場合が多い。よって、ユーザの日常生活における行動パターン、すなわち、日常生活圏（以下、「日常圏」という。）を考慮した上で、当該ユーザの現在位置に応じた適切な情報を送信することができれば望ましい。
【０００６】
したがって、本発明は、ユーザの日常圏を自動的に設定することができる日常圏設定装置を提供することにある。
【課題を解決するための手段】
【０００７】
本日常圏設定装置は、携帯端末から送信される当該携帯端末の現在位置を測位した測位点と当該測位点の測位時刻とを対応付けて所定のデータベースに格納する格納手段と、前記所定のデータベースに格納されている前記測位点と前記測位時刻を、地図を分割して得られる複数のメッシュ領域のうちの前記測位点が属するメッシュ領域に対応付けた基礎データを生成する基礎データ生成手段と、前記基礎データに基づいて、各メッシュ領域における所定期間内の前記測位点の測位回数及び前記携帯端末のユーザの滞在時間の少なくとも一方を算出し、当該各メッシュ領域と当該算出した測位回数及び滞在時間の少なくとも一方とを対応付けたメッシュデータを生成するメッシュデータ生成手段と、前記メッシュデータに含まれる測位回数及び滞在時間の少なくとも一方が所定の閾値以上であるメッシュ領域を、前記ユーザの日常圏として設定する日常圏設定手段と、備えることを特徴とする。
【０００８】
前記メッシュデータ生成手段は、第１測位点と時間軸上当該第１測位点の次に配置される第２測位点について、当該第１測位点の第１測位時刻から当該第２測位点の第２測位時刻までの測位点間時間と前記第２測位点と前記第１測位点との間の測位点間距離とを算出し、当該測位点間時間と当該測位点間距離に基づいて決定される配分条件に従って、当該測位点間時間を前記第１測位点と前記第２測位点を結んだ結線上のメッシュ領域に滞在時間として配分する配分手段を備え、前記配分された配分時間に基づいて、前記メッシュ領域における前記滞在時間を算出することを特徴とする。
【０００９】
前記配分手段は、前記測位点間時間が所定時間未満であること及び前記測位点間距離が所定距離未満であることの少なくとも一方が成立する場合は、前記測位点間時間より前記第１測位点から前記第２測位点への移動時間を減算して得られる移動時間減算済み時間を前記第１測位点が属する第１メッシュ領域に配分し、前記移動時間を前記結線上のメッシュ領域に略均等に配分することを特徴とする。
【００１０】
前記配分手段は、前記測位点間時間が所定の時間未満であること及び前記測位点間距離が所定の距離未満でないことの少なくとも一方が成立する場合は、前記測位点間時間より前記第１測位点から第２測位点への移動時間を減算して得られる移動時間減算済み時間を前記第１測位点が属する第１メッシュ領域に配分し、前記移動時間を前記結線上のメッシュ領域に配分しないことを特徴とする。
【００１１】
前記配分手段は、前記第１測位点の第１測位時刻と前記第２測位点の第２測位時刻とが所定基準時刻にまたがる場合は、当該第１測位時刻から前記所定基準時刻までの時間を最大として第１メッシュ領域に配分し、当該第２基準時刻から前記所定基準時刻までの時間を最大として第２メッシュ領域に配分することを特徴とする。
【００１２】
前記メッシュデータ生成手段は、前記各メッシュ領域において前記測位点が測位された測位日数をさらに集計し、前記日常圏設定手段は、前記メッシュデータの前記測位回数、前記滞在時間及び前記測位日数のうちの少なくとも１つ又は２つ以上の組み合わせが所定の閾値以上であるメッシュ領域を、前記ユーザの日常圏として設定することを特徴とする。
【００１３】
携帯端末とネットワークを介して通信可能に接続されたシステムにおける日常圏設定方法であって、前記携帯端末から送信される当該携帯端末の現在位置を測位した測位点と当該測位点の測位時刻とを対応付けて所定のデータベースに格納する格納ステップと、前記所定のデータベースに格納されている前記測位点と前記測位時刻を、地図を分割して得られる複数のメッシュ領域のうちの前記測位点が属するメッシュ領域に対応付けた基礎データを生成する基礎データ生成ステップと、前記基礎データに基づいて、各メッシュ領域における所定期間内の前記測位点の測位回数及び前記携帯端末のユーザの滞在時間の少なくとも一方を算出し、当該各メッシュ領域と当該算出した測位回数及び滞在時間の少なくとも一方とを対応付けたメッシュデータを生成するメッシュデータ生成ステップと、前記メッシュデータに含まれる測位回数及び滞在時間の少なくとも一方が所定の閾値以上であるメッシュ領域を、前記ユーザの日常圏として設定する日常圏設定ステップと、備えることを特徴とする。
【００１４】
また、本発明は、上記各ステップをコンピュータに実行させるためのプログラムとしても成立する。このプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１５】
また、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１６】
本発明によれば、ユーザの日常圏を当該ユーザの移動に基づいて自動的に設定することができる日常圏設定装置を提供する装置を提供することが可能になる。
【図面の簡単な説明】
【００１７】
【図１】日常圏設定システムの概略構成を示すブロック図である。
【図２】携帯端末の概略構成を示すブロック図である。
【図３】測位情報ＤＢと基礎データＤＢのデータ構造の一例を示す図である。
【図４】日別メッシュＤＢと日常圏ＤＢのデータ構造の一例を示す図である。
【図５】日常圏設定処理の全体の流れの一例を示すフローチャートである。
【図６】基礎データの一例を説明する図である。
【図７】日別メッシュデータの一例を説明する図である。
【図８】測位点間の時間配分を説明する図である。
【図９】測位点間の時間配分を説明する図である。
【図１０】期間別メッシュデータの一例を説明する図である。
【図１１】日常圏の設定を説明する図である。
【図１２】日別メッシュデータ生成処理の流れの一例を示すフローチャートである。
【図１３】期間別メッシュデータ生成処理および日常圏設定処理の流れの一例を示すフローチャートである。
【図１４】日常圏の利用形態の一例を説明する図である。
【図１５】日別メッシュＤＢと日常圏ＤＢのデータ構造の一例を示す図である。
【図１６】日常圏の設定を説明する図である。
【発明を実施するための形態】
【００１８】
以下、本発明の実施の形態について、図面を参照しつつ詳細に説明する。各記載において、同一の要素には同一の符号を付し、重複する説明を省略する。
【００１９】
［日常圏設定システムの構成］
図１は、本実施形態に係る日常圏設定システムの概略構成の一例を示すブロック図である。日常圏設定システム（日常圏設定装置）１０は、ネットワークＮを介して携帯移動端末装置（以下、「携帯端末」という。）２０と相互に接続されている。
【００２０】
日常圏設定システム１０は、主制御手段１０１、通信手段１０２、測位情報格納手段１０３、基礎データ生成手段１０４、日別メッシュ生成手段１０５（滞在時間／測位回数集計手段１０６、配分補完手段１０７）、期間別メッシュ生成手段１０８、日常圏設定手段１０９、測位情報ＤＢ１１０、基礎データＤＢ１１１、日別メッシュＤＢ１１２、期間別メッシュＤＢ１１３、日常圏ＤＢ１１４などの各種機能実現手段を主に備える。
【００２１】
日常圏設定システム１０には、図示してはいないが、ＣＰＵ、ＲＯＭやＲＡＭ等のメモリ、各種の情報を格納する外部記憶装置、入出力インタフェース、通信インタフェース及びこれらを結ぶバスを備える専用又は汎用のサーバ・コンピュータを適用することができ、例えば、ＣＰＵがＲＯＭ等に格納された所定のプログラムを実行することにより、上記各機能実現手段として機能する。なお、日常圏設定システム１０は、単一のコンピュータより構成されるものであっても、ネットワーク上に分散した複数のコンピュータより構成されるものであってもよい。
【００２２】
主制御手段１０１は、日常圏設定システム１０の動作全体及び上述した各手段の動作を制御する。通信手段１０２は、ネットワークＮを介して携帯端末２０と通信することにより各種情報を送受信するためのインタフェースである。通信手段１０２は、携帯端末２０から送信される測位情報を受け付ける受付手段としても機能する。
【００２３】
測位情報格納手段１０３は、携帯端末２０から送信される測位情報を測位情報ＤＢ１１０に格納する。測位情報には、携帯端末２０の現在位置を測位した測位点（座標情報）と、当該測位点の測位時刻と、携帯端末２０のユーザを一意的に識別するユーザ識別情報（ＩＤ）と、が含まれる。図３（Ａ）は、測位情報ＤＢ１１０のデータ構造の一例を示す図である。同図によれば、測位情報ＤＢ１１０には、「測位時刻」、「ユーザＩＤ」、「緯度」、「経度」などのデータが測位情報の履歴として対応付けて格納されている。また、測位情報ＤＢ１１０に格納されている測位情報には、「測位レベル」が含まれていてもよい。ここで、「測位レベル」とは、測位点の信頼度の高さ、すなわち、携帯端末２０における現在位置の測位精度の高さを表す。また、ＳＮＳアプリケーションによる「チェックイン」のようなユーザ操作に基づいて測位情報を生成し、登録できるようにしてもよい。このようなユーザ操作による測位情報は、測位レベルの高い情報として扱うことができる。
【００２４】
定期的に自動的に送信される測位情報のみを用いた場合には、ユーザの意図によらない日常圏を作成することができる。一方、ユーザ操作による測位情報を含めると、ユーザ意図に沿った日常圏を作成することができる。また、自動送信の場合でも、ユーザの移動の有無に関わらず定期的に測位情報を送信するようにしてもよい。
【００２５】
図１に戻り、基礎データ生成手段１０４は、測位情報ＤＢ１１０に格納されている測位情報に基づいて、ユーザ毎かつ測位日毎に測位点及び測位時刻を地図の該当メッシュ領域に対応付けた基礎データを生成する（図３（Ｂ）、図６参照）。メッシュ領域とは、緯度経度に基づいて地図を分割して得られる複数の分割領域であり、仕様や設計に応じて適宜分割領域のサイズを設定することができる（例えば、ユーザが頻繁に滞在するエリアを特定したい場合はサイズを大きく設定し、一方、ユーザが頻繁に訪れる店などを特定したい場合はサイズを小さく設定することができる）。メッシュ領域の形状は、例えば四角形、六角形、ひし形等の多角形や、円等の曲線で囲まれた領域とすることができる。また、メッシュ領域のサイズは一定でなくてもよい。例えば、都市部のメッシュはより小さく（細かく）するようにしてもよい。また、人口統計情報によって地域毎にメッシュのサイズを変えたり（例えば人口が多い地域のメッシュは小さくする。）、市区町村の分類、宅地種別、日常圏の情報などに基づいてサイズを設定したりしてもよい。また、ある期間（例えば８月、平日の朝等）の測位情報や現在の測位情報に基づいてサイズを設定してもよい。具体的には、ある期間の滞在人数が少なければメッシュを大きくしたり、測位精度が低ければメッシュを大きくしたりしてもよい。また、滞在人数が多くても、測位精度が低ければメッシュは大きくすることが望ましい。なお、該当するメッシュ領域とは、測位点の座標情報が属するメッシュ領域を意味する。また、生成された基礎データは、基礎データＤＢ１１１に格納される。
【００２６】
図３（Ｂ）は、このような基礎データＤＢ１１１のデータ構造の一例を示す図である。同図によれば、基礎データＤＢ１１１には、「ユーザＩＤ」、「測位日」、「メッシュ番号」、「測位時刻」などのデータが対応付けて格納されている。また、測位情報ＤＢ１１０に「測位レベル」が含まれている場合には、基礎データＤＢ１１１にも「測位レベル」が格納されていてもよい。なお、「メッシュ番号」には、メッシュ領域を一意的に識別する識別情報が格納される。一方、図６は、測位情報ＤＢ１１０に格納されている測位情報に基づいて基礎データが生成される様子を説明する図である。同図には、ユーザ（ＡＡＡＡＡさん）の測位日（2010/03/03）について、各メッシュ領域に測位点及び測位時刻を対応付けた基礎データＢ１が該当日におけるユーザの行動軌跡として記載されている。
【００２７】
図１に戻り、日別メッシュ生成手段１０５は、ユーザ毎に所定単位期間（例：１日）毎に各メッシュ領域における測位回数及びユーザの滞在時間を表すデータ（以下、「単位期間別メッシュデータ」又は「日別メッシュデータ」という。）を生成する（図４（Ａ）、図７参照）。所定単位期間とは、メッシュデータを生成する最小単位期間であり、仕様・設計に応じて適宜設定することができ、本実施形態では１日が設定されているが、その期間に特に限定はなく、例えば、半日などを設定してもよい。また、日別メッシュ生成手段１０５は、基礎データＤＢ１１１に「測位レベル」が含まれている場合、日別メッシュデータを測位レベルに応じて作成することができる。測位レベルに応じて生成された日別メッシュデータは、日別メッシュＤＢ１１２に格納される。図４（Ａ）および図１５（Ａ）は、日別メッシュＤＢ１１２のデータ構造の一例を示す図である。図４（Ａ）は全ての測位レベルのデータを用いた日別メッシュデータ、図１５（Ａ）は測位レベルが所定値以上の高測位レベルのデータのみを用いた日別メッシュデータの例である。図４（Ａ）および図１５（Ａ）によれば、日別メッシュＤＢ１１２には、「ユーザＩＤ」、「測位日」、「メッシュ番号」、「滞在時間」「測位回数」などのデータが対応付けて格納されている。一方、図７は、基礎データＤＢ１１１に格納されている基礎データに基づいて日別メッシュデータが生成される様子を説明する図である。図４（Ａ）には、ユーザ（ＡＡＡＡＡさん）の測位日（2010/03/03）について、各メッシュ領域に滞在時間と測位回数を対応付けたメッシュデータＭ１が記載されている。なお、本実施形態ではメッシュ領域ごとに測位回数と滞在時間を算出して対応づける場合について説明しているが、測位回数又は滞在時間のみを算出して対応づけるようにしてもよい。
【００２８】
図１に戻り、日別メッシュ生成手段１０５は、具体的には、滞在時間／測位回数集計手段１０６と、配分補完手段１０７とを有する。
【００２９】
滞在時間／測位回数集計手段１０６は、基礎データＤＢ１１１に格納されている基礎データに基づいて、各メッシュ領域における測位点の測位回数及び前記携帯端末のユーザの滞在時間を所定単位期間ごとに算出し、各メッシュ領域と当該算出した測位回数及び滞在時間とを対応付ける。各メッシュ領域における測位回数は、該当メッシュ領域において測位が行われた回数を合計することにより算出する。各メッシュ領域における滞在時間は、後述する配分補完手段１０７により該当メッシュ領域に配分された配分時間を合計することにより算出する。また、上述したように、日別メッシュデータを測位レベルに応じて作成する場合には、滞在時間／測位回数集計手段１０６は、高測位レベルの基礎データのみを用いて測位回数及び滞在時間を算出する。一方、測位レベルに関係なく全ての基礎データを用いて日別メッシュデータを作成する場合には、滞在時間／測位回数集計手段１０６は、全ての基礎データ（低測位レベルのデータと高測位レベルのデータを含む）を用いて測位回数及び滞在時間を算出する。
【００３０】
配分補完手段１０７は、メッシュ領域に対応付けられた測位点から、第１測位点と時間軸上当該第１測位点の次に配置される第２測位点を選択する。第１測位点は移動前地点、第２測位点は移動後地点とも呼ばれる。次に、当該第１測位点の第１測位時刻から当該第２測位点の第２測位時刻までの時間（以下、「測位点間時間」という。）と、第２測位点と第１測位点との間の距離（以下、「測位点間距離」という。）と、を算出する。そして、当該測位点間時間と当該測位点間距離に基づいて配分条件を決定し、当該決定した配分条件に従って、当該測位点間時間を第１測位点から第２測位点への移動経路上に位置するメッシュ領域（第１測位点の第１メッシュ領域と第２測位点の第２メッシュ領域を含む）に配分する。なお、配分には０時間を配分することも含まれ、この場合には、配分しないことと実質的に同じである。
【００３１】
配分条件は、仕様や設計に応じて適宜設定することができ、その内容に特に限定はないが、本実施形態では、携帯端末からの測位情報の送信条件や構成に応じて、以下のように配分条件を設定している。具体的には、本実施形態における携帯端末２０は、所定の送信時間間隔（例：５分）で測位情報を日常圏設定システム１０へ送信し、ユーザが移動しない場合は、消費電力セーブ等の理由により測位情報を送信しないように構成されている。すなわち、ユーザが電波圏内にいる場合、携帯端末２０からの測位情報は、ユーザが移動している場合にのみ所定の送信時間間隔で送信される。したがって、第１測位時刻と第２測位時刻間の測定点間時間から移動時間を除いた時間（以下、「移動時間減算済み時間」）は、移動前地点である第１測位点にユーザが滞在していた時間と推定することができるから、当該移動時間減算済み時間を、第１測位点のメッシュ領域に配分する。なお、測位情報は上記のような所定の送信間隔で自動的に送信されるものに限られず、チェックインのようなユーザ操作による測位情報が含まれてもよい。
【００３２】
また、第１測位点及び第２測位点の少なくとも一方の属性に基づいて、配分を制御するようにしてもよい。測位点の属性としては、測位点の属する施設やエリアの種別などがあげられる。配分補完手段１０７は、これらの属性に基づいてどのような配分を行うかを決定する。測位点の属性は、例えば地図データを参照し、その測位点が属する地図データ上のポリゴンを判定し、該当するポリゴンに対応する施設やエリアを判定することにより特定することができる。あるいは、第１測位点がユーザのチェックイン操作による測位点である場合には、チェックインした施設やエリアを判定することにより特定することができる。
【００３３】
また、配分制御の方法としては、第１測位点の属する施設やエリアのジャンルに応じて第１測位点のメッシュ領域に配分する滞在時間に上限を設けるようにしてもよい。すなわち、移動時間減算済み時間が所定の上限値を超える場合には、第１測位点のメッシュ領域には上限の滞在時間を配分し、残りの時間はどのメッシュにも配分しないようにしてもよい。例えば第１測位点の属性がホテルに対応する場合には、滞在時間の上限を１２時間とし、レストランであれば１時間とするなどの例があげられる。
【００３４】
また、第１測位点と第２測位点が共にユーザのチェックイン操作による測位点である場合には、移動時間減算済み時間を、第１測位点のメッシュ領域に全て配分せずに、第１測位点と第２測位点のメッシュ領域に等分してもよい。また、チェックインした位置に対応する施設のジャンルに応じて配分の割合を決定してもよい。さらに、両測位点の測位レベルに基づいて配分割合を決定してもよい。
【００３５】
また、第１測位点と第２測位点の測位時間の間隔が所定値以下の場合や、測位点間の距離が所定値以下の場合には、第２測位点を切り捨て、次の測位点と第１測位点との間で配分を行うようにしてもよい。
【００３６】
なお、本実施形態では、上述のように、移動時間を５分として、移動時間減算済み時間を算出しているが、移動時間と滞在時間（移動時間減算済み時間）の配分方法はこれに限られない。例えば、測定点間時間の所定割合（Ｘ％）を移動時間または滞在時間に割り当てるようにしてもよい。この場合、測定が本実施形態のようにユーザ移動中に所定間隔で送信されるものであるか、またはユーザ操作によるものであるかによって、上記の所定割合を決定してもよい。
【００３７】
また、測定は、ユーザの移動有無に限らず所定の時間間隔で送信されるものであってもよい。この場合にも、測定点間時間の所定割合（Ｘ％）を移動時間または滞在時間に割り当てることができる。
【００３８】
次に、第１測位点と第２測位点との間のユーザの移動内容（移動手段や移動経路）を推定できる場合（第１測位点と第２測位点との間に連続性がある場合）は、第１測位点から第２測位点への推定された移動経路（以下「推定移動経路」という。）上に位置するメッシュ領域に、移動時間を略均等に配分する（第１配分条件）。すなわち、推定移動経路上のメッシュ領域について滞在時間を補完する。一方、第１測位点と第２測位点との間のユーザの移動内容を推定できない場合（第１測位点と第２測位点との間に連続性がない場合）は、移動時間のメッシュ領域への配分は行わない（０時間を配分する）（第２配分条件）。すなわち、メッシュ領域への滞在時間の補完は行われない。
【００３９】
移動内容の推定可否を判断する方法は、仕様や設計に応じて適宜設定することができ、その内容に特に限定はないが、例えば、測位点間時間及び／又は測位点間距離が所定基準時間未満及び／又は所定基準距離未満である場合は、歩行などによる移動であるとみなしてユーザの移動経路を推定することができるとする。一方、所定基準時間未満及び／又は所定基準距離未満でない場合は、例えば地下鉄利用時などによる移動であるとみなしてユーザの移動経路を推定することができないとすることができる。
【００４０】
また、移動時間の算出方法は、仕様や設計に応じて適宜設定することができ、その内容に特に限定はないが、例えば、携帯端末２０の送信時間間隔を利用する方法や、測位点間距離と移動手段（例：電車、車、徒歩）に応じた所定時速より移動時間を計算する方法などがある。本実施形態では、第１配分条件の場合は、携帯端末２０における測位情報の送信時間間隔（例：５分）を移動時間として設定する。また、第２配分条件の場合は、測位点間距離と予め設定した所定の時速（例：３０ｋｍ）とに基づいて第１測位点から第２測位点への移動時間を算出する。なお、所定の時速は、推定した移動手段などに応じて適宜設定することができ、例えば、第１配分条件については徒歩時速を利用して移動時間を算出するようにしてもよい。また、データベースにユーザ毎の徒歩の速度、車で移動する場合の速度等を格納しておき、ユーザ固有の値を用いて移動時間を算出するようにしてもよい。ユーザ固有の速度は、ユーザが設定してもよいし、日常圏設定システムにおいて推定するようにしてもよい。推定の方法は、例えば２点間の測位情報から算出した移動距離と時間間隔を用いて移動速度を算出するようにしてもよい。また、ユーザの属性（年齢、性別等）が分かる場合には、それらの情報から推定するようにしてもよい。
【００４１】
また、移動経路の特定方法も、仕様や設計に応じて適宜設定することができ、その内容に特に限定はないが、本実施形態では、第１測位点と第２測位点とを結んだ結線によって移動経路を表している。なお、図８（Ａ）において結線は、直線で示されているが、結線は直線に限られず、例えば、道路、路線、建物などに応じて推定される任意の移動経路に沿った形状を有することができる。また、結線上に位置するメッシュ領域のうち、第１測位点と第２測位点のメッシュ領域以外のメッシュ領域を、補完メッシュ領域という。
【００４２】
また、補完メッシュ領域には、移動経路上の各メッシュを中心とした周囲のメッシュを含むようにしてもよい。例えば、図１６に示すように、メッシュ領域を第１測位点Ｐ１と第２測位点Ｐ２を長軸の両端とした略楕円形に設定するようにしてもよい。また、第１、第２の測位点以外の測位点（例えば、第１の測位点の１つ前の測位点）も含めて補完メッシュ領域を設定するようにしてもよい。
【００４３】
なお、日別メッシュ生成手段１０５では、測位情報を所定単位期間毎に管理しているので、第１測位点と第２測位点が日をまたぐ場合（基準時刻（例：０時／２４時）をまたぐ場合）がある。すなわち、当該単位期間において最初に測位された測位点（以下、「最初測位点」という。）と最後に測位された測位点（以下、「最後測位点」という。）については、組み合わせるべき移動前測位点又は移動後測位点が他の日に属する。そこで、本実施形態では、第３配分条件として、最初測位点については、対応する移動前測位点が他の日に属するため、基準時刻（例：０時）から最初測位点の測位時刻までの時間を滞在時間として当該最初測位点のメッシュ領域に配分する。また、最後測位点については、対応する移動後測位点が他の日に属するため、当該最後測位点の測位時刻から基準時刻（例：２４時）までの時間を当該最後測位点のメッシュ領域に配分する。なお、第３配分条件では、メッシュ領域に配分する最大時間を設定することができ、その内容に特に限定はないが、本実施形態では最大６時間が設定されている。
【００４４】
図８（Ａ）は、第１配分条件に応じて滞在時間を配分する様子を説明する図である。同図では、まず、第１測位点と第２測位点との間の測定点間時間（１０分）から移動時間（５分）を減算して得られる移動時間減算済み時間（５分（３００秒））を、第１測位点のメッシュ領域に配分している。次に、第１測位点と第２測位点間のメッシュ領域に滞在時間を補完すべく、第１測位点と第２測位点との結線上に位置する６つのメッシュ領域に移動時間（５分）を略均等（５０秒ずつ）に配分している。
【００４５】
図８（Ｂ）は、第２配分条件に応じて滞在時間を配分する様子を説明する図である。同図では、まず、測位点間距離（１０ｋｍ）と所定の時速（例：３０ｋｍ）より第１測位点と第２測位点との間の移動時間（２０分）を算出し、測定点間時間より当該移動時間（２０分）を減算して得られる移動時間減算済み時間（１００分）を、第１測位点のメッシュ領域に配分している。なお、ここでは、第１測位点と第２測位点間に位置するメッシュ領域への補完は行われないので、移動時間は配分されていない。
【００４６】
図９は、第３配分条件に応じて滞在時間を配分する様子を説明する図である。同図では、最初測位点（測位時刻７：３０）については、最大時間である６時間が配分されており、最後測位点（測位時刻：２３：３０）については、当該測位時刻から０時までの３０分が配分されている。
【００４７】
図１に戻り、期間別メッシュ生成手段１０８は、単位期間別メッシュデータに含まれる測位回数、滞在時間、滞在日数を所定の集計期間ごとに集計し、各メッシュ領域に当該集計した測位回数、滞在時間、滞在日数を対応付けた集計期間別メッシュデータ（「期間別メッシュデータ」ともいう）を生成する（図１０参照）。所定の集計期間は、設計や仕様に応じて適宜設定することができ、その期間内容に特に限定はないが、例えば、直近７日、直近３０日、直近１８０月、直近３６５日などの集計期間を設定することができる。また、複数の集計期間を同時に設定してもよい。なお、集計期間別メッシュデータが既に存在する場合は、新たに追加する追加対象日（例：最新測位日）と減算対象日（例：既存集計期間内の最も古い測位日）の日別メッシュデータを日別メッシュＤＢ１１２より読み出して、メッシュ領域毎に追加対象日の滞在時間、測位回数、滞在日数を加算する一方、メッシュ領域毎に当該減算対象日の滞在時間、測位回数、滞在日数を減算する。図１０は、単位期間別メッシュデータから集計期間別メッシュデータを生成する様子を説明する図である。同図は、単位期間別メッシュデータＭ５から生成された集計期間別メッシュデータＭ６において、メッシュ領域ごとに滞在時間、測位回数、滞在日数が関連付けられている様子を示している。なお、本実施形態ではメッシュ領域ごとに測位回数、滞在時間、測位日数を算出して対応づける場合について説明しているが、測位回数、滞在時間、測位日数のうちのいずれか１つ又は２つを算出して対応づけるようにしてもよい。
【００４８】
日常圏設定手段１０９は、集計期間別メッシュデータに含まれる測位回数、滞在時間及び滞在回数のうちのいずれか１つ又はこれら２つ以上の任意の組合せが、所定の閾値以上であるメッシュ領域を抽出することより、ユーザの日常圏を設定する（図４（Ｂ）（Ｃ）、図１１）。
【００４９】
図４（Ｂ）は、日常圏条件の一例を示す図である。日常圏条件には、仕様設計に応じた内容を設定することができ、特に限定はないが、同図では、日常圏の種類と条件が対応付けて格納されている。具体的には、日常圏Ａには、「対象集計期間」、「滞在日数」、「滞在時間」、「測位回数」が設定され、日常圏Ｂには、「対象集計期間」、「滞在日数」、「滞在時間」及び「測位回数」が設定され、日常圏Ｃには、「対象集計期間」と「滞在日数」と「測位回数」が設定されている。さらに、各項目については、日常圏の種類ごとに任意の期間と、閾値としての日数、時間、回数が設定されている。同図に示すように、日常圏の条件は、抽出したい日常圏の種類に応じて設定することができる。例えば、滞在日数を重視して滞在時間や測位回数を考慮しない場合は、通勤経路などを特定することが可能であり、滞在時間を重視して滞在日数を考慮しない場合は、訪れる回数は少ないが長居する場所（例：実家）などを特定することが可能である。また、対象集計期間に長期間を設定すれば、長期旅行や出張などにいった場合に日常圏がなくなることを防止することができる一方、対象集計期間に短期間を設定すれば、日常圏を容易に特定することが可能である。
【００５０】
なお、測位レベルに応じた集計期間別メッシュデータ（日別メッシュデータ）を用いて、測位レベル別の日常圏を作成する場合、日常圏条件についても、測位レベルに応じて設けるようにしてもよい。測位レベルが低い測位情報を用いて作成された日常圏は精度が低い。したがって、通勤経路などの細かい（範囲の狭い）日常圏を設定する場合には、高い測位レベルの測位情報のみを用いるのが望ましい。一方、休日の行動範囲や旅行先などを含む、比較的広い範囲の日常圏を設定する場合には、低測位レベルのデータも用いることができる。図１５（Ｂ）は、図１５（Ａ）に示すように測位レベルが高いデータのみを含む日別メッシュデータを用いて日常圏を設定する場合の日常圏条件の一例を示す図である。このように測位レベルに応じて異なる日常圏条件を設定するようにしてもよい。
【００５１】
図４（Ｃ）は、設定された日常圏の一例を示す図である。同図では、ユーザＩＤごとに、日常圏の種類とメッシュ番号が対応づけて格納されている。同図によれば、日常圏の種類によって、設定された日常圏のメッシュ番号が異なることがわかる。
【００５２】
また、図１５（Ｃ）は、図１５（Ａ）に示す測位レベルが高いデータのみを含む日別メッシュデータに、図１５（Ｂ）の日常圏条件を適用して作成した日常圏の一例を示す図である。
【００５３】
なお、メッシュ番号の代わりに、またはメッシュ番号と共に、メッシュ内にある具体的な住所や施設、建物名、路線等を日常圏の種類と対応付けて格納してもよい。施設等の判断は、例えば、メッシュと施設等を表すポリゴンとの重なりが一定以上である場合や、メッシュの中心とポリゴンの代表点との距離が一定値以下である場合などの条件に基づいて行うことができる。 例えば、東京タワーと日常圏の種類を対応付けて格納しておけば、日常的に東京タワーを利用したり、通過したりするユーザを抽出することができる。また、日常圏の種類に応じて、測位レベルが一定以上低いメッシュは除外するようにしてもよい。
【００５４】
図１１は、集計期間別メッシュデータより日常圏を設定する様子を説明する図である。同図では、直近３０日のメッシュデータＭ７からは「３００分以上かつ３日以上滞在」という条件に合致するメッシュ領域を抽出することによって日常圏を設定する場合や、直近７日のメッシュデータＭ８からは「６０分以上かつ２日以上滞在」という条件に合致するメッシュ領域を抽出することによって日常圏を設定する場合を示している。なお、日常圏は複数設定することが可能であり、抽出されたメッシュ領域の滞在時間や滞在日数の値を参照することにより、日常圏をより細分化することができる。例えば、すべての値が高いメッシュ領域を自宅または会社と判断したり、日数は多いが滞在時間は短いメッシュ領域を通勤経路中の乗換駅と判断したり、日数は少ないが滞在時間は長いメッシュ領域をユーザのいきつけの店と判断したりすることができる。
【００５５】
［携帯端末の構成］
図１に戻り、携帯端末２０について説明する。携帯端末２０は、例えば、携帯電話機、ＰＤＡ、パーソナルコンピュータなどのＧＰＳを利用して現在位置を測位した測位情報を所定時間間隔でアップロードする機能を備えた従来の端末装置を適用することができる。なお、図１では１つの携帯端末２０を記載しているが、利用形態に応じて複数の携帯端末２０を日常圏設定システム１０と接続することができる。
【００５６】
図２に示すように、携帯端末２０は、主制御手段２０１、通信手段２０２、表示手段２０３、操作手段２０４、記憶手段２０５、現在位置測位手段２０６、測位情報送信手段２０７などの各種機能実現手段をおもに備える。
【００５７】
主制御手段２０１は、図示しないＣＰＵ、ＲＯＭやＲＡＭ等のメモリを含むプロセッサで構成されており、ＲＯＭに記憶された所定のプログラムをＣＰＵが実行することにより携帯端末２０の各部の動作を制御する。通信手段２０２は、ネットワークＮを介して日常圏設定システム１０との間で各種情報を送受信するためのインタフェースである。表示手段２０３は、文字や画像等の情報を表示するディスプレイであり、操作手段２０４は、ユーザからの操作指示を受け付けるボタンやタッチパネルである。また、記憶手段２０５は、各種プログラムやデータを記憶する記憶装置としてのメモリである。
【００５８】
現在位置測位手段２０６は、例えば、ＧＰＳ受信機を備え、ＧＰＳ衛星信号を所定の受信間隔で受信し処理することによって携帯端末２０の現在位置（緯度・経度）を測位する。
【００５９】
測位情報送信手段２０７は、現在位置測位手段２０６が測位した測位点および測位時刻と、当該携帯端末２０を保有するユーザのユーザＩＤとを含む測位情報を、日常圏設定システム１０へ送信する。なお、測位情報の送信は、仕様・設計に応じて適宜設定することができるが、上述したように、本実施形態では、ユーザが移動している場合には、所定の送信間隔にしたがって送信するように構成されている。ユーザが移動しているか否かは、例えば図示しない加速度センサを用いて従来技術を適用することにより判断することができる。
【００６０】
ネットワークＮは、日常圏設定システム１０と携帯端末２０との間で情報を送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００６１】
［日常圏設定処理］
次に、上記のように構成される日常圏設定システム１０の動作の概要について、図５、図１２、図１３のフローチャートを参照しながら説明する。なお、後述の各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００６２】
図５は、日常圏設定処理の全体の流れの一例を示すフローチャートである。
【００６３】
日常圏設定システム１０は、携帯端末２０から所定送信間隔で送信される測位情報（測位点、測位時刻、ユーザＩＤ）を受信すると、当該受信した測位情報を測位情報ＤＢ１１０に格納する（Ｓ１００）。これにより、ユーザの移動に応じた測位情報の履歴が測位情報ＤＢ１１０に格納される（図３（Ａ）参照）。
【００６４】
日常圏設定システム１０は、測位情報ＤＢ１１０の測位情報をユーザ別日別に時系列に並び替え、ユーザ別測位日別に、測位点及び測位時刻を該当メッシュ領域に対応付けた基礎データを生成する（Ｓ２００）（図６参照）。生成した基礎データを、基礎データＤＢ１１１に格納する（図３（Ｂ）参照）。
【００６５】
日常圏設定システム１０は、生成された基礎データに基づいて、ユーザ毎に所定単位期間（例：１日）毎の各メッシュ領域における測位回数及びユーザの滞在時間を表す日別メッシュデータを生成する（Ｓ３００）。生成した日別メッシュデータを、日別メッシュＤＢ１１２に格納する（図４（Ａ）、図７参照）。なお、日別メッシュデータの生成処理の詳細については、後述する。
【００６６】
日常圏設定システム１０は、生成された日別メッシュデータに基づいて所定の集計期間における各メッシュ領域の測位回数、滞在時間、滞在日数を集計し、各メッシュ領域に当該集計した測位回数、滞在時間、滞在日数を対応付けた集計期間別メッシュデータを生成する（Ｓ４００）。生成した集計期間別メッシュデータを、期間別メッシュＤＢ１１３に格納する（図１０参照）。
【００６７】
日常圏設定システム１０は、集計期間別メッシュデータに含まれる測位回数、滞在時間及び滞在回数のうちのいずれか１つ又はこれら２つ以上の任意の組合せが、所定の日常圏条件を満たすメッシュ領域を抽出することより、ユーザの日常圏を設定する（Ｓ５００）。生成した日常圏データを、日常圏ＤＢ１１４に格納する（図４（Ｂ）（Ｃ）、図１１参照）。
【００６８】
［日別メッシュデータ生成処理］
次に、図１２を参照しながら日別メッシュデータ生成処理の流れについて説明する。まず、日常圏設定システム１０は、基礎データに基づいて、メッシュ領域上の測位点から、例えば時系列に従って、移動前測位点の第１測位点と移動後測位点の第２測位点との組を特定し、当該組を特定できた場合は（Ｓ３０１；ＹＥＳ）、第１配分条件または第２配分条件を適用するためにステップ３０２に進み、当該組を特定できなかった場合は（Ｓ３０１；ＮＯ）、第３配分条件を適用するためにステップ３０９へ進む。
【００６９】
日常圏設定システム１０は、ステップ３０２へ進んだ場合、第１測位点と第２測位点間の測位点間距離を算出し、第１測位点の第１測位時刻と第２測位点の第２測位時刻間の測位点間時刻を算出する（Ｓ３０２）。
【００７０】
日常圏設定システム１０は、配分条件の一例として、算出した測位点間距離が所定基準距離未満であり、かつ、算出した測位点間時間が所定基準時間未満であるか否かを判断し（Ｓ３０３）、判断結果が是である場合は、第１配分条件を適用するためにステップ３０４へ進み、判断結果が否である場合は、第２配分条件を適用するためにステップ３０７へ進む。
【００７１】
日常圏設定システム１０は、ステップ３０４へ進んだ場合、携帯端末における測位情報の送信時間間隔を移動時間に設定する（Ｓ３０４）。そして、測位点間時間から移動時間を減算することにより移動時間減算済み時間を算出し、当該算出した移動時間減算済み時間を配分滞在時間として第１測位点が属する第１メッシュ領域に配分する（Ｓ３０５）。次に、第１測位点と第２測位点の結線上に位置する１または複数のメッシュ領域に対して、移動時間を配分滞在時間として略均等に配分する（Ｓ３０６）。これにより、第１メッシュ領域、第２メッシュ領域および補完メッシュ領域に対して配分滞在時間が適切に配分される（図８（Ａ）参照）。
【００７２】
一方、日常圏設定システム１０は、ステップ３０７へ進んだ場合、測位点間距離と、所定の時速情報とに基づいて、移動時間を算出する（Ｓ３０７）。そして、測位点間時間から移動時間を減算することにより移動時間減算済み時間を算出し、当該算出した移動時間減算済み時間を配分滞在時間として第１測位点が属する第１メッシュ領域に配分する（Ｓ３０８）。なお、第２測位点が属する第２メッシュ領域や他のメッシュ領域への配分滞在時間の配分は行わない。これにより、第１メッシュ領域に対して配分滞在時間が適切に配分される（図８（Ｂ）参照）。
【００７３】
なお、日常圏設定システム１０は、ステップＳ３０１において判断結果が否であるため、ステップ３０９へ進んだ場合、対象測位点が該当日の最初に測位された最初測位点が最後に測位された最後測位点あるかを判断し、最初測定点である場合は、基準時である０時から対象測位点の測位時刻までの時間を、所定の最大時間内の範囲で、対象メッシュ領域に配分する（Ｓ３１０）。一方、対象測位点が最後測位点である場合は、対象測位点の測位時刻から基準時である２４時までの時間を、所定の最大時間内の範囲で、対象メッシュ領域に配分する（Ｓ３１１）。これにより、最初測位点及び最後測位点のメッシュ領域に対しても配分滞在時間が適切に配分される（図９参照）。
【００７４】
日常圏設定システム１０は、対象メッシュ領域の滞在時間を当該メッシュ領域に配分された配分滞在時間に基づいて算出し、当該メッシュ領域の測位回数を当該メッシュ領域において測位点が測位された回数に基づいて算出する（Ｓ３１２）。なお、補完メッシュ領域については、滞在時間は加算されるが、測位点は加算されない。
【００７５】
次に、日常圏設定システム１０は、次に処理すべき測位点が存在するか否かを判断し、次に処理すべき測位点が存在する場合は（Ｓ３１３；ＹＥＳ）、ステップＳ３０１に戻り、上記処理を繰り返す。一方、次に処理すべき測位点が存在しない場合は、処理を終了する（Ｓ３１３；ＮＯ）。
【００７６】
［集計期間別メッシュデータ生成処理］
次に、図１３（Ａ）を参照しながら集計期間別メッシュデータ生成処理の流れについて説明する（図１０参照）。日常圏設定システム１０は、対象集計期間の集計期間別メッシュデータが期間別メッシュＤＢ１１３に存在するか否かを判断し、既に生成されている場合は（Ｓ４０１；ＹＥＳ）、ステップＳ４０２に進み、未だ生成されていない場合は（Ｓ４０１；ＮＯ）、ステップＳ４０３に進む。
【００７７】
日常圏設定システム１０は、ステップＳ４０２に進んだ場合は、期間別メッシュＤＢ１１３より既存の集計期間別メッシュデータを読み出し、日別メッシュＤＢ１１２より追加対象日と減算対象日の日別メッシュデータを読み出して、メッシュ領域毎に追加対象日の滞在時間、測位回数、滞在日数を加算する一方、減算対象日の滞在時間、測位回数、滞在日数を減算する（Ｓ４０２）。
【００７８】
日常圏設定システム１０は、ステップＳ４０３に進んだ場合は、日別メッシュＤＢ１１２より対象集計期間分の日別メッシュデータを読み出し、対象集計期間分の滞在時間、測位回数、滞在日数を集計する（Ｓ４０３）。
【００７９】
日常圏設定システム１０は、生成した集計期間別メッシュデータを期間別メッシュＤＢ１１３に格納する（Ｓ４０４）。
【００８０】
［日常圏設定処理］
次に、図１３（Ｂ）を参照しながら日常圏設定処理の流れについて説明する（図１１参照）。日常圏設定システム１０は、日常圏ＤＢ１１４から対象となる日常圏の種類の日常圏条件を参照し（Ｓ５０１）、期間別メッシュＤＢ１１３から該当する集計期間別メッシュデータを読み出すと、参照した日常圏条件に合致するメッシュ領域を抽出し、日常圏として設定する（Ｓ５０２）。
【００８１】
日常圏設定システム１０は、設定した日常圏の種類とメッシュ番号とを対応付けて日常圏ＤＢ１１４に格納する（Ｓ５０３）。なお、メッシュ番号以外に、メッシュ内にある具体的な住所や施設、建物名等を日常圏の種類と対応付けて格納してもよい。
【００８２】
［日常圏の利用例］
次に、以上のように設定された日常圏の利用例について説明する。日常圏の利用方法は、目的等に応じて適宜決定することができ、その内容について特に限定はないが、例えば、所定のサービス提供装置は、測位情報を受信すると、ユーザの現在位置が日常圏内であるか否かに応じて、提供情報の内容を変更したり、提供情報の提供形態を変更したりすることができる。また、測位レベルに応じた日常圏を作成した場合には、測位レベルを考慮して適切な情報提供を行うようにすることができる。また、図１４に示す例では、日常圏を中心に所定距離帯別のバッファ（散歩圏、遠出圏）を設定する様子を示している。例えば、所定のサービス提供装置は、測位情報を受信すると、ユーザの現在位置から当該ユーザの日常圏（複数ある場合は最も近い日常圏）への距離を測定し、当該距離に応じて提供情報の内容や提供形態を決定することができる。
【００８３】
以上、本実施形態によれば、携帯端末から送信される測位情報に基づいて、各メッシュ領域における所定期間内の測位回数、滞在時間、測位日数を表すメッシュデータを生成し、当該測位回数、滞在時間、測位日数が所定閾値以上であるメッシュ領域を日常圏として抽出しているので、ユーザの日常圏を当該ユーザの移動に基づいて自動的かつリアルタイムに設定することができるようになる。
【００８４】
また、本実施形態によれば、ユーザがＧＰＳ機能付き携帯端末を携帯するだけで、当該ユーザの日常圏を自動的に設定することができるので、日常圏設定のための各種情報登録作業などが不要となり、ユーザの利便性を向上することができる。また、最新の測位情報に基づいて新たな日常圏を適宜設定することができるので、例えば、引越、結婚、転職、入学などによりユーザの日常圏に変化があった場合でも、柔軟な対応が可能である。
【００８５】
なお、本実施形態では、配分補完手段１０７によって、第１測位点と第２測位点の間の移動経路上のメッシュ領域に滞在時間を配分する処理を行っているが、配分補完手段１０７による配分処理を行わないようにしてもよい。すなわち、図１２のステップＳ３０３〜Ｓ３０８の処理を行わず、ステップＳ３０２からステップＳ３１２へ移行するようにしてもよい。
【００８６】
また、所定の条件を満たす場合には、配分補完手段１０７による滞在時間の配分を行わず、その他の場合には配分補完手段１０７による滞在時間の配分を行うようにしてもよい。このような条件の例としては次のものをあげることができる。１つは、メッシュ領域の大きさが所定のサイズよりも大きければ補完を行わないというものである。メッシュの大きさが十分大きい場合（例えば３００ｍ四方）、第１測位点と第２測位点が同じメッシュに含まれる場合も多く、補完を行っても結果があまり変わらないからである。もう１つは、第１測位点と第２測位点の間の測位点間時間が閾値よりも短い場合には補完を行わないというものである。測位点間時間が短い場合（例えば１０分未満）には、補完を行った場合と行わない場合とで結果にあまり差がでないからである。また、もう１つは、携帯端末２０における測位情報の送信時間間隔が閾値よりも短い場合には補完を行わないというものである。送信時間間隔が短い場合（例えば５分未満）には、第１測位点と第２測位点の間の距離は短いことが多く、補完を行った場合と行わない場合とで結果にあまり差がでないからである。また、もう１つは、日常圏判定の距離が閾値よりも大きい場合には補完を行わないというものである。日常圏判定の距離が大きい場合（例えば４００ｍ以上）の場合には、補完を行った場合と行わない場合とで結果にあまり差がでないからである。なお、これらの条件のうちの１つを用いて補完を行うか否かを判定してもよいし、２つ以上の条件を組み合わせて判断するようにしてもよい。
【００８７】
［その他の実施形態］
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【００８８】
例えば、携帯端末２０における現在位置の測位精度が低いと判断される場合には、第１測位点から第２測位点への移動経路上に位置するメッシュ領域（以下、「移動経路メッシュ領域」という。）の周辺に位置する１または複数のメッシュ領域を周辺メッシュ領域として設定し、当該周辺メッシュ領域に対しても測位点間時間を配分するように構成することができる。周辺メッシュ領域の設定は、設計や仕様に応じて適宜設定することができるが、例えば、第１測位点及び／又は第２測位点の測位精度が低いような場合は、第１メッシュ領域及び／又は第２メッシュ領域の周辺のメッシュ領域を第１周辺メッシュ領域及び／又は第２周辺メッシュ領域として設定することができる。また、例えば、第１測位点及び第２測位点の双方の測位精度が低いような場合は、移動経路上の補完メッシュ領域の周辺のメッシュ領域を補完周辺メッシュ領域として設定してもよい。配分補完手段１０７は、周辺メッシュ領域を設定した場合、例えば、上記実施形態にて説明した配分方法に従って算出される、当該周辺メッシュ領域（例：第１メッシュ周辺領域）に対応する移動経路メッシュ領域（例：第１メッシュ領域）に対する配分滞在時間を、当該移動経路メッシュ領域及び周辺メッシュ領域（例：第１メッシュ領域及び第１メッシュ周辺領域）の双方に配分することができる。当該構成によれば、精度の低い測位点を受信した場合には、測位点周辺にも滞在時間が配分される結果、日常圏の精度を高めることが可能になる。
【００８９】
また、本実施形態では、メッシュ領域は二次元であるが、三次元のメッシュ領域を用いるようにしてもよい。三次元のメッシュ領域とは、緯度経度に基づいて地図を分割して得られる複数の分割領域を高さ方向にも複数に分割した領域である。具体的には、基礎データ生成手段１０４が基礎データを生成する際に、三次元のメッシュ領域を用いるようにしてもよい。例えば、（緯度、経度、高度）がそれぞれ（36°30' N, 135°30' E, 0.5m ）、（36°30' N, 135°30' E, 0.5m ）、（36°30' N, 135°30' E, 10.0m ）であるポイントにおいて測位情報が得られた場合、三次元のメッシュデータを用いれば、（36°30' N, 135°30' E, 0.5m ）に対応する三次元メッシュの測位回数が２回、（36°30' N, 135°30' E, 10.0m ）に対応する三次元メッシュの測位回数が１回となるが、二次元のメッシュデータの場合は緯度経度情報のみに基づいているため（36°30' N, 135°30' E）に対応する二次元メッシュの測位回数が３回としてカウントされる。
【００９０】
あるいは、日常圏設定手段１０９が日常圏を設定する際に、日常圏の種類に対応する二次元のメッシュ番号に加え、各メッシュにおける高度情報を格納するようにしてもよい。これにより、例えばあるユーザの日常圏にビルが含まれる場合に、フロアの階数まで設定することができる。また、例えば高度情報として地下３０ｍが登録されていれば、日常圏が地上ではなく地下鉄の構内であると判別することができる。
【００９１】
また、移動手段毎の日常圏を作成するようにしてもよい。具体的には、日別メッシュ生成手段１０５は、特定の移動手段での移動時に測定された基礎データのみを用いて日別メッシュデータを作成する。移動手段の推定は、例えば、基礎データにおける連続する２点間の測位点間時間が基準時間未満であること、および測位点間距離が所定基準距離未満であることの少なくとも一方が満たされれば、歩行による移動であると推定する。一方、２点間の測位点間時間が基準時間未満であること、および測位点間距離が所定基準距離未満であることのどちらも満たされなければ、例えば車両や地下鉄による移動であると推定することができる。日別メッシュ生成手段１０５は、各測定点間の移動手段を判定し、特定の移動手段による移動と判定された２測定点の組み合わせを抽出して日別メッシュデータを作成する。
【００９２】
日常圏設定手段１０９は、このようにして作成された、特定の移動手段による日別メッシュデータを用いて移動手段ごとの日常圏設定処理を行い、移動手段別の日常圏を設定する。なお、日常圏条件も移動手段別に設けるようにしてもよい。例えば車で移動する時の日常圏を用いれば、ユーザに駐車場情報など車で移動する際に有用な情報を提供することができる。また、電車移動の際の日常圏を用いて、電車の運行情報などを提供することができる。
【００９３】
また、特定の時間帯や平日または休日に限定した日常圏を作成するようにしてもよい。具体的には、日別メッシュ生成手段１０５は、特定の時間帯（例えば、１７：００−２１：００）に測定された測位情報のみを抽出して日別メッシュデータを作成する。この日別メッシュデータは、特定の時間帯の測位情報から作成されたメッシュデータ（時間帯別メッシュデータ）である。また、平日または休日に測定された測位情報のみを抽出して日別メッシュデータを作成する。この日別メッシュデータは、平日または休日に測定された測位情報から作成されたメッシュデータ（平日及び休日の少なくとも一方のみの測位情報に基づくメッシュデータ）である。さらに、日常圏設定手段１０９は、このようにして作成された日別メッシュデータを用いて日常圏設定処理を行い、時間帯別、平日／休日別の日常圏を設定する。なお、日常圏条件も時間帯別、平日／休日別に設けるようにしてもよい。これらの日常圏の利用方法としては、夜の時間帯の日常圏に合わせて近辺の居酒屋の情報を提供したり、休日の日常圏に合わせて近辺のイベント情報を提供したり、などがあげられる。
【符号の説明】
【００９４】
１０・・・日常圏設定システム、２０・・・携帯端末、１０１・・・主制御手段、１０２・・・通信手段、１０３・・・測位情報格納手段、１０４・・・基礎データ生成手段、１０５・・・日別メッシュ生成手段、１０６・・・測位回数集計手段、１０７・・・配分補完手段、１０８・・・期間別メッシュ生成手段、１０９・・・日常圏設定手段、２０１・・・主制御手段、２０２・・・通信手段、２０３・・・表示手段、２０４・・・操作手段、２０５・・・記憶手段、２０６・・・現在位置測位手段、２０７・・・測位情報送信手段、１１０・・・測位情報ＤＢ、１１１・・・基礎データＤＢ、１１２・・・日別メッシュＤＢ、１１３・・・期間別メッシュＤＢ、１１４・・・日常圏ＤＢ、Ｎ・・・ネットワーク
【図１】
0005588417.tif 000002
【図２】
0005588417.tif 000003
【図３】
0005588417.tif 000004
【図４】
0005588417.tif 000005
【図５】
0005588417.tif 000006
【図６】
0005588417.tif 000007
【図７】
0005588417.tif 000008
【図８】
0005588417.tif 000009
【図９】
0005588417.tif 000010
【図１０】
0005588417.tif 000011
【図１１】
0005588417.tif 000012
【図１２】
0005588417.tif 000013
【図１３】
0005588417.tif 000014
【図１４】
0005588417.tif 000015
【図１５】
0005588417.tif 000016
【図１６】
0005588417.tif 000017